(57)【要約】【課題】水素を人体内に無理なく、効果的に吸収できるようにする。【解決手段】水素の溶存濃度が０．２ｐｐｍ以上１．２ｐｐｍ以下であり、二酸化炭素の溶存濃度が２５０ｐｐｍ以上３０００ｐｐｍ以下である水素炭酸水を、水素と二酸化炭素の混合ガスを溶かして生成するとともに、水素炭酸水を浴槽１３に対して連続して供給できる水素炭酸風呂。その浴槽１３内に、１回の入浴につき１０分以上滞在させることによって、水素を経皮吸収させる。【選択図】図１
2020028507.tif 000002
【特許請求の範囲】
【請求項１】
水素の溶存濃度が０．２ｐｐｍ以上１．２ｐｐｍ以下であり、二酸化炭素の溶存濃度が２５０ｐｐｍ以上３０００ｐｐｍ以下である水素炭酸水が、浴槽に対して連続して供給される
水素炭酸風呂。
【請求項２】
前記水素炭酸水を製造する浴槽水製造装置が、前記浴槽を有する浴室の外に設けられた
請求項１に記載の水素炭酸風呂。
【請求項３】
前記浴槽水製造装置が、水素と二酸化炭素を混合したガスボンベ、または、水素と二酸化炭素がそれぞれのガスボンベから供給されたガスを混合するガス混合装置と、前記混合されたガスを水に溶解する溶解装置で構成された
請求項２に記載の水素炭酸風呂。
【請求項４】
浴室内に設置された浴槽に、水素の溶存濃度が０．２ｐｐｍ以上１．２ｐｐｍ以下であり、二酸化炭素の溶存濃度が２５０ｐｐｍ以上３０００ｐｐｍ以下である水素炭酸水を連続して導入し、入浴する
水素吸収入浴方法。
【請求項５】
前記水素炭酸水の最大溶存水素濃度を０．５ｐｐｍとし、溶存二酸化炭素濃度が２５０ｐｐｍ以上１０００ｐｐｍ未満として、
前記浴槽内に１０分以上入浴する
請求項４に記載の水素吸収入浴方法。
【発明の詳細な説明】
【技術分野】
【０００１】
この発明は、二酸化炭素に加えて水素を溶解した水を用いる水素炭酸風呂に関し、より詳しくは健康維持に貢献し得る水素炭酸風呂に関する。
【背景技術】
【０００２】
健康維持に資する血行促進などを行える風呂として炭酸風呂が知られている。炭酸風呂は、二酸化炭素の経皮吸収による末梢血管の拡張を通じて、血行促進や血管抵抗の減少を生じるので、保温作用や疲労回復、血圧低下作用などの効果があるとされている。
【０００３】
下記特許文献１では、炭酸風呂の上記のような効果に加えて、アンチエージング効果を有する人工炭酸泉が開示されている。この人工炭酸泉は、二酸化炭素のほかに水素を溶解させて酸化還元電位を還元系の電位にしたものであって、抗酸化作用を有する。
【０００４】
しかし、この人工炭酸泉の水素は、酸化還元電位を還元系に傾けるためのものであって、溶存水素濃度は高くなく、水素を効果的に吸収させるものではない。
【先行技術文献】
【特許文献】
【０００５】
【特許文献１】特開２００９−２０２１１３号公報
【発明の概要】
【発明が解決しようとする課題】
【０００６】
この発明は、水素を効果的に吸収できるようにすることを主な目的とする。
【課題を解決するための手段】
【０００７】
そのための手段は、水素の溶存濃度が０．２ｐｐｍ以上１．２ｐｐｍ以下であり、二酸化炭素の溶存濃度が２５０ｐｐｍ以上３０００ｐｐｍ以下である水素炭酸水が、浴槽に対して連続して供給される水素炭酸風呂である。
【０００８】
この水素炭酸風呂により、炭酸水でありながらも溶存水素濃度が高い水素炭酸水で入浴可能となり、二酸化炭素による血行促進作用に合わせて水素を経皮吸収させることができる。皮膚から吸収された水素は皮膚血管やリンパ管を通って人体の各組織に作用する。
【発明の効果】
【０００９】
この発明によれば、炭酸風呂としては高い溶存濃度の水素を作用させることができ、入浴によって、経口摂取する場合よりも負担が少なく、効果的な水素吸収を実現できる。
【図面の簡単な説明】
【００１０】
【図１】水素炭酸風呂の概略構成図。
【発明を実施するための形態】
【００１１】
この発明を実施するための一形態を、以下図面を用いて説明する。
【００１２】
図１に、水素炭酸風呂１１の概略構成図を示す。水素炭酸風呂１１は、加熱された適宜温度の水素炭酸水１２が浴槽１３に対して連続して供給されるものであって、水素炭酸水１２の溶存水素濃度は０．２ｐｐｍ以上１．２ｐｐｍ以下であり、溶存二酸化炭素濃度は２５０ｐｐｍ以上３０００ｐｐｍ以下である。
【００１３】
具体的には、水素炭酸風呂１１は、浴槽１３を設置する浴室１４と、浴室１４の外に設けられて水素炭酸水１２を製造する浴槽水製造装置１５を有している。
【００１４】
浴室１４は、換気扇（図示せず）による換気が可能であり、また窓（図示せず）を有するものの、基本的には閉鎖された空間を形成できる構成である。浴室１４内には、浴槽１３のほか、給湯ライン１６及び給水ライン１７が接続された給水部１８や、洗い場１９等必要な設備を有している。
【００１５】
浴槽水製造装置１５は、浴槽１３に貯留された浴槽水１３ａを循環させて、循環中に前述の範囲の濃度の水素と二酸化炭素を溶解し、浴槽１３に供給するものであって、循環ポンプ２１と、ガスボンベ２２と、溶解装置２３を備えている。
【００１６】
ガスボンベ２２は、水素と二酸化炭素を適宜の割合で混合した混合ガスを貯蔵している。ガスボンベ２２の開閉弁２２ａは、混合ガスを適宜流量で噴出する構造である。なお、ガス供給方法としては、水素と二酸化炭素の混合ガスを貯蔵したガスボンベ２２を使用する以外に、水素と二酸化炭素をそれぞれのガスボンベから供給されたガスを混合して混合ガスを供給するようにしてもよい。
【００１７】
溶解装置２３は、溶解タンク２４とファインバブル生成器２５で構成される。ファインバブル生成器２５としては、加圧溶解方式、バブルせん断方式または多孔質方式などの装置を使用できる。
【００１８】
循環ポンプ２１は、浴槽１３に形成される吸入口２６に接続されて浴槽水１３ａを導き出す導出路２７に設けられ、循環ポンプ２１の先にはファインバブル生成器２５が接続されている。ファインバブル生成器２５は、通過させる浴槽水１３ａに気体を供給する気体供給部２５ａと、ファインバブルを発生させるバブル発生部２５ｂを有しており、バブル発生部２５ｂは溶解タンク２４内に収容されている。気体供給部２５ａには、ガスボンベ２２が接続され、溶解タンク２４からは浴槽水１３ａを浴槽１３に形成される吐出口２８に導く導入路２９が接続されている。
【００１９】
このような構成の水素炭酸風呂１１では、次のようにして浴槽水１３ａとしての水素炭酸水を生成する。
【００２０】
まず、給水部１８から浴槽１３内に湯水を供給し湯水が貯留された状態で、浴槽水製造装置１５を作動する。つまり、循環ポンプ２１を駆動するとともに、循環ポンプ２１の能力（流量）と目標とする溶存濃度を考慮して、ガスボンベ２２から混合ガスを適宜流量で供給する。
【００２１】
すると、循環ポンプ２１によって吸入口２６から吸い込まれた浴槽水１３ａには、ファインバブル生成器２５を通る際に混合ガスが混合される。通過する浴槽水１３ａ中に発生した水素と二酸化炭素のファインバブルは、すぐに消えることなく分散して広がり、湯水又は浴槽水１３ａに溶解する。この結果、溶解タンク２４の中で水素と二酸化炭素のファインバブルを有する水素炭酸水１２となり、導入路２９を通って吐出口２８から浴槽１３に導入される。このような動作が繰り返されることにより、浴槽１３の湯水は徐々に所望の溶存水素濃度と溶存二酸化炭素濃度の水素炭酸水１２となる。
【００２２】
水素炭酸水１２は浴槽１３に連続して供給されるので、浴槽１３内の人体には常に所望濃度の水素と二酸化炭素のガスが接触することになる。
【００２３】
なお、水素炭酸水１２を浴槽１３に対して連続して供給するためには、前述のような浴室１４の外に備えた浴槽水製造装置１５を用いて湯水を循環させて供給する手段を取らずに、別の手段で別途に生成した水素炭酸水１２を浴槽１３に供給するなど、他の方法で供給してもよい。
【００２４】
以上のような構成の水素炭酸風呂１１への入浴が人体にどのような作用をするのか確認すべく、試験を行った。次にその試験と結果について述べる。
【００２５】
試験方法は、水素炭酸水１２を用いた水素炭酸風呂１１と、比較例としての炭酸水を用いた炭酸風呂に対する入浴を、所定期間ずつ行い、その前後における呼気終末水素濃度と血液検査諸量の変化を被験者１０名の平均値でみた。比較評価には、個人差が大きい因子の調査に効果的なクロスオーバー法を用いた。
【００２６】
具体的には、試験期間として３か月を設定し、成人の男性５人ずつ、合計１０人を略均等に２つのグループにわけて、それぞれ入浴期間を、土曜日と日曜日を除く１か月（５日×４週間）とし、インターバルを１か月とした。つまり、一方のグループは最初に水素炭酸風呂に１か月間（２０回）入浴し、その後１カ月のインターバルをおいて、炭酸風呂に１か月間（２０回）入浴する。他方のグループは、最初に炭酸風呂に１か月間（２０回）入浴し、その後１カ月のインターバルをおいて、水素炭酸風呂に１か月間（２０回）入浴する。
【００２７】
被験者１０名の身長の平均値は１７２ｃｍであり、体重はおよそ７３ｋｇ、胸囲はおよそ８７ｃｍであって、標準的な体格であった。また全被験者の健康状態は良好であった。
【００２８】
水素炭酸風呂１１における水素炭酸水１２の生成に際して水素と二酸化炭素の混合率、つまりガスボンベ２２の混合ガスの構成割合は、水素濃度を８％、二酸化炭素濃度を９２％とした。また、循環ポンプ２１の流量は８Ｌ／ｍｉｎであり、混合ガスを噴出する際の流量は５００ｃｃ／ｍｉｎであった。浴槽１３及び浴室１４は一人用の一般的なものであった。
【００２９】
炭酸風呂には、水素炭酸風呂１１と同じ風呂を用い、前述のガスボンベ２２に代えて二酸化炭素１００％のガスボンベを用いた以外は、水素炭酸風呂１１の場合と同じである。
【００３０】
前述の条件で製造された水素炭酸風呂１１における水素炭酸水１２からなる浴槽水１３ａの溶存水素濃度は最大で０．５ｐｐｍであった。具体的には、運転開始から５分で０．２ｐｐｍ、１０分で０．３ｐｐｍ、１５分で０．３５ｐｐｍ、２０分で０．４ｐｐｍ、２５分で０．５ｐｐｍとなった。溶存二酸化炭素濃度については、９００ｐｐｍであった。入浴は、運転開始から２５分以上経ってから行わせた。
【００３１】
また、浴槽１３を開放した状態での浴槽水製造装置１５の運転中に、浴室１４内のガス濃度を測定したところ、炭酸ガス濃度は０．１〜０．２％で、水素ガス濃度は０．１％未満、酸素ガス濃度は２１％であった。入浴中におけるある時点で、浴室１４内の水素ガス濃度を３カ所（浴槽水１３ａの水面付近と、浴室１４の天井付近と、浴室１４の高さと幅と奥行のそれぞれの中間である浴室空間の中央（高さでは水面より上で天井より下））  において測定したところ、いずれの測定点でも２５ｐｐｍ未満であった。なお、水素ガス濃度の測定には、新コスモス電機株式会社製の高感度可燃性ガス検知器「ＸＰ−３１６０」を用いた。
【００３２】
入浴は、浴槽１３内に１０分以上、浴室１４内には２０分以上３０分以下の滞在とし、呼気終末水素濃度と、血液生化学検査の測定と、血圧や脈拍などの検査を行った。
【００３３】
呼気終末水素濃度とは、息を吐き切った状態から更にもう一吐きした呼気中の水素濃度であり、血中のガス濃度を反映したものである。試験では、終末呼気をアルミニウムバッグに採取してから測定した。測定には、新コスモス電機株式会社製のポータブルガス分析装置「ＸＧ−１００Ｈ」を用いた。
【００３４】
試験の結果、呼気終末水素濃度については表１の結果が得られ、水素炭酸風呂１１への入浴により、水素が血中に取り込まれていることが判る。
【００３５】
【表１】
2020028507.tif 000003
表１では、水素炭酸風呂入浴と炭酸風呂入浴のそれぞれについて、２０回のうちの１回目の入浴（１回目入浴）と、１か月の試験期間の最終回である２０回目の入浴（２０回目入浴）について、入浴前と入浴後の値を示した。単位はｐｐｍである。
【００３６】
表１から判るように、水素炭酸風呂と炭酸風呂の１回目入浴の入浴前には、呼気終末水素濃度は水素炭酸風呂で６．０、炭酸風呂で７．７であったが、１回の入浴で、水素炭酸風呂では２９．６に上昇し、炭酸風呂では３．７に低下した。水素炭酸風呂では２３．６も水素濃度が増加しているのに対して、炭酸風呂では４．１減少している。このことから、水素炭酸風呂に入浴することで、効果的に水素が血中に取り込まれていることがわかる。
【００３７】
また、２０回目入浴になると、水素炭酸風呂では入浴前の呼気終末水素濃度が１１．４と高くなり、入浴後の数値も４６．０となって、前後差は３４．６であり、１回目入浴のときと比較して、入浴前後での水素ガス濃度の差が増していることが判る。一方、炭酸風呂では２０回目入浴でも入浴後の水素濃度が、入浴前の１２．５から９．７へと低下している。これらのことから、水素炭酸風呂への入浴を継続することにより、血中への水素の取り込み量が多くなっていると考えられる。
【００３８】
血液生化学検査の結果は、表２のとおりである。
【００３９】
【表２】
2020028507.tif 000004
検査項目はＴ−Ｂｉｌ、Ｔｏｔａｌ  Ｐｒｏｔｅｉｎ  、Ａ／Ｇ、Ａｌｂｕｍｉｎ、ＡＳＴ、ＡＬＴ、ＬＤ、ＡＬＰ、γ−ＧＴ、ＣＨＥ、ＮＨ３であり、Ｔｏｔａｌ  Ｐｒｏｔｅｉｎ以下のすべての検査項目においては水素炭酸風呂入浴と炭酸風呂入浴において顕著な差は見られなかった。
【００４０】
しかし、Ｔ−Ｂｉｌにおいては、水素炭酸風呂の１回目入浴が１．０５であるのに対して２０回目入浴が０．８９と数値が低下しているのに対し、炭酸風呂の場合には、１回目入浴が０．９３で２０回目入浴が１．０５であった。この数値変化については統計処理による検証も行ったところ、水素炭酸風呂への継続した入浴により、Ｔ−Ｂｉｌが有意に低下したことが確認され、肝機能の改善を示唆していると考えられる。
【００４１】
また、併せて測定した被験者の血圧と脈拍とＳｐＯ２と、舌下温は、表３のとおりである。なお、表３中「開始前」は、１回目入浴の前であり、「終了時」は、２０回目入浴の後である。
【００４２】
【表３】
2020028507.tif 000005
表３に示したように、血圧、脈拍、経皮的動脈血酸素飽和度（ＳｐＯ２）、舌下温において、水素炭酸風呂への入浴と炭酸風呂への入浴による違いはなく、同等の結果が見られた。
【００４３】
表２に示した血液生化学検査の結果と、表３の脈拍等の結果からは、水素炭酸風呂への入浴はＴ‐Ｂｉｌの数値を除き、炭酸風呂とほぼ同等であり人体への悪影響は認められない。
【００４４】
以上のように、水素炭酸水を連続して導入した浴槽を有する風呂に入浴して、少なくとも水素炭酸水の最大溶存水素濃度が０．５ｐｐｍであり、溶存二酸化炭素濃度が２５０ｐｐｍ以上１０００ｐｐｍ未満、好適には９００ｐｐｍであって、１回の入浴で浴槽内に１０分以上入浴する場合には、前述のように血中に水素を効果的に取り込むことができ、その結果Ｔ−Ｂｉｌの値が改善することが判る。
【００４５】
水素炭酸水は、炭酸水でありながらも溶存水素濃度が高い水素炭酸水であるため、入浴によって人体の皮膚に接すると、二酸化炭素による血行促進作用ながされ、同時に水素も経皮吸収される。皮膚から吸収された水素は皮膚血管やリンパ管を通って人体の各組織に作用した結果、前述のような肝機能の改善を示唆する結果が得られたものと考えられる。
【００４６】
このように、水素炭酸風呂を用いた入浴方法によって、二酸化炭素との協働とも相まって人体への効果的な水素吸収・水素摂取を実現できる。入浴によって自然に吸収されるので、経口摂取の場合のような、一定量以上飲まなければならないという負担はない。
【００４７】
水素炭酸水の溶存水素濃度は、０．２ｐｐｍから１．２ｐｐｍまで適宜設定できるが、０．３５ｐｐｍ以上、または０．４ｐｐｍ以上、好ましくは前述の０．５ｐｐｍ前後の値か、０．５ｐｐｍが最大値となるようにするとよい。
【００４８】
水素炭酸水の溶存二酸化炭素濃度は、２５０ｐｐｍから３０００ｐｐｍまで、好みに応じて適宜設定することができるが、水素の吸収を主にするので、炭酸泉として必要な２５０ｐｐｍ以上であれば、高濃度とされる１０００ｐｐｍに満たない値であってもよく、前述の９００ｐｐｍ前後の値か、９００ｐｐｍが最大値となるようにするとよい。
【符号の説明】
【００４９】
１１…水素炭酸風呂
１２…水素炭酸水
１３…浴槽
１４…浴室
１５…浴槽水製造装置
２２…ガスボンベ
２３…溶解装置
【図１】
2020028507.tif 000006